(57)【特許請求の範囲】
【請求項１】
球発射装置へ遊技球を導く球供給流路を形成すると共に、該球供給流路に、遊技球を上記球発射装置へ導かずに抜き出す球抜き口を形成してなる遊技機の打球供給皿の構造において、
上記球供給流路は、上方を開放する上流側開放流路部と、該上流側開放流路部の下流側において、天井部を備えると共に上記球抜き口を形成してなる下流側閉塞流路部とを設けてなり、
上記上流側開放流路部と上記下流側閉塞流路部との一部を連続して形成する流路形成部材が、上記球抜き口の閉口及び開口を行うよう移動可能に配設してあることを特徴とする遊技機の打球供給皿の構造。
【請求項２】
請求項１に記載の遊技機の打球供給皿の構造において、上記流路形成部材は、その上面に金属板を設けてなると共に、上記上流側開放流路部と上記下流側閉塞流路部との底面部に連続して形成されており、
上記流路形成部材を上記球供給流路の形成方向に沿って上流側にスライド移動させることにより、上記球抜き口を開口するよう構成してあることを特徴とする遊技機の打球供給皿の構造。
【請求項３】
請求項２に記載の遊技機の打球供給皿の構造において、上記球供給流路は、上記上流側開放流路部と上記下流側閉塞流路部とにおいて、遊技機の左右方向に向けて遊技球を１列で流下させるよう構成してあり、
上記上流側開放流路部の上流側端部には、上記球供給流路の一部として形成した屈曲流路部が遊技機の前方側から連通してあり、
上記流路形成部材は、上記遊技機の左右方向に形成された上記上流側開放流路部と上記下流側閉塞流路部との底面部の全体を構成していることを特徴とする遊技機の打球供給皿の構造。
【発明の詳細な説明】
【技術分野】
【０００１】
本発明は、球発射装置へ遊技球を導く球供給流路に球抜き口を形成してなる遊技機の打球供給皿の構造に関する。
【背景技術】
【０００２】
遊技機の前面側に設けた打球供給皿は、遊技盤の遊技領域へ遊技球を発射する球発射装置へ遊技球を供給するよう構成されている。打球供給皿は、球供給流路によって球発射装置に連通されており、メンテナンス時、遊技終了時等には、球供給流路に設けた球抜き口から球供給流路及び打球供給皿に残った遊技球を抜き出すように構成されている。そして、球抜き口の開閉は、球供給流路に別途設けたシャッター部材によって行っている。
例えば、特許文献１のパチンコ機の打球供給皿においては、皿部の下流側に設けた球整列部の流下先端部の底部に開設した球抜き口に、シャッター部材を摺動可能に設けることが開示されている。このシャッター部材は、コイルばねによって球抜き口を閉塞する位置に保持されており、球抜き操作部材を操作したときに、リンク及び球均し部材を介して移動して、球抜き口を開口するよう構成されている。この打球供給皿によれば、球抜き口の開閉操作と球整列部の流下先端部の拭き掃除を容易に行うことができる。
【先行技術文献】
【特許文献】
【０００３】
【特許文献１】特開平６−２８５２４１号公報
【発明の概要】
【発明が解決しようとする課題】
【０００４】
しかしながら、特許文献１のパチンコ機の打球供給皿においては、球整列部にある遊技球に球詰まりが生じたとき、シャッター部材を移動させても球整流部にある遊技球の球詰まり状態を容易に解消することができない。すなわち、特許文献１においては、シャッター部材の全体の上方に、球均し部材による天井部が存在し、球詰まりの解消をするためには十分ではない。
【０００５】
本発明は、かかる従来の問題点に鑑みてなされたもので、球抜き口の周辺の省スペース化を図ることができ、球詰まりが生じている部位の遊技球を直接的に移動させ、球詰まり状態を解消することができる遊技機の打球供給皿の構造を提供しようとするものである。
【課題を解決するための手段】
【０００６】
本発明は、球発射装置へ遊技球を導く球供給流路を形成すると共に、該球供給流路に、遊技球を上記球発射装置へ導かずに抜き出す球抜き口を形成してなる遊技機の打球供給皿の構造において、
上記球供給流路は、上方を開放する上流側開放流路部と、該上流側開放流路部の下流側において、天井部を備えると共に上記球抜き口を形成してなる下流側閉塞流路部とを設けてなり、
上記上流側開放流路部と上記下流側閉塞流路部との一部を連続して形成する流路形成部材が、上記球抜き口の閉口及び開口を行うよう移動可能に配設してあることを特徴とする遊技機の打球供給皿の構造にある（請求項１）。
【発明の効果】
【０００７】
本発明の遊技機の打球供給皿の構造は、球供給流路の一部を形成する流路形成部材に、球流路を形成する機能と、球抜き口を開閉するシャッターの機能とを持たせている。そして、球供給流路の形成状態に対する流路形成部材の形成範囲に工夫をし、球供給流路に球詰まりが生じたときには、この球詰まりを容易に解消することができるものである。
本発明における球供給流路は、球供給流路の天井部を備えない部分として、上方を開放する上流側開放流路部と、天井部を備える部分として、上流側開放流路部の下流側において球抜き口を形成してなる下流側閉塞流路部とを設けてなる。また、上流側開放流路部と下流側閉塞流路部との一部を連続して形成する流路形成部材を、球抜き口の閉口及び開口を行うよう移動可能に配設してなる。
【０００８】
そして、球供給流路の一部を形成する流路形成部材を、球抜き口の閉口及び開口を行うためのシャッター部材として用いることにより、打球供給皿内に別途シャッター部材を配設する必要がなく、球抜き口の周辺の省スペース化を図ることができる。また、流路形成部材をシャッター部材として用いることにより、打球供給皿の高さ寸法を小さくすることができ、それにより得られる空きスペースを利用することで各機構の設置自由度を向上させることができる。
また、下流側閉塞流路部における天井部の周辺は、遊技球の段積み状態が変化する部位であり、遊技球の球詰まりが発生するおそれのある部位である。これに対し、本発明においては、流路形成部材が上流側開放流路部と下流側閉塞流路部との一部を連続して形成している。つまり、上流側開放流路部と下流側閉塞流路部との両流路部に連なるように流路形成部材を形成している。そのため、天井部の周辺に球詰まりが生じたときには、流路形成部材を移動させることにより、下流側閉塞流路部に存在する遊技球を上流側開放流路部における上方の開放空間を利用して位置ずれさせることができる。これにより、球詰まりが生じている部位の遊技球を直接的に移動させて、球詰まり状態を解消することができる。
【０００９】
それ故、本発明の遊技機の打球供給皿の構造によれば、球抜き口の周辺の省スペース化を図ることができ、球詰まりが生じている部位の遊技球を直接的に移動させ、球詰まり状態を解消することができる。
【図面の簡単な説明】
【００１０】
【図１】実施例１における、流路形成部材が球抜き口を閉口する状態を、打球供給皿の裏面側から見た状態で示す断面説明図。
【図２】実施例１における、流路形成部材が球抜き口を開口する状態を、打球供給皿の裏面側から見た状態で示す断面説明図。
【図３】実施例１における、球供給流路及び流路形成部材の周辺を示す斜視説明図。
【図４】実施例１における、打球供給皿を配設した遊技機を示す斜視図。
【図５】実施例１における、打球供給皿を上方から見た状態で示す上面図。
【図６】実施例２における、打球供給皿を上方から見た状態で示す上面図。
【発明を実施するための形態】
【００１１】
上述した本発明の遊技機の打球供給皿の構造における好ましい実施の形態につき説明する。
本発明において、上記流路形成部材は、その上面に金属板を設けてなると共に、上記上流側開放流路部と上記下流側閉塞流路部との底面部に連続して形成し、上記流路形成部材を上記球供給流路の形成方向に沿って上流側にスライド移動させることにより、上記球抜き口を開口するよう構成することが好ましい（請求項２）。
【００１２】
この場合には、流路形成部材を上流側開放流路部及び下流側閉塞流路部の底面部に形成し、併せて、流路形成部材を、その流路形成部材が配設された球供給流路の流路形成方向（遊技球が流下する流下方向）に沿って上流側にスライド移動するように構成している。そのため、簡易的な機構で流路形成部材をスライド移動（開閉移動）させることができ、また、自重落下を利用して球抜き口から安定して遊技球を流下させることができる。
また、流路形成部材の上面に設けた金属板により、流路形成部材の耐久性を向上させ、流路形成部材をスライド移動させる際に、その上面に生ずる遊技球との摩擦を低減することができる。また、遊技球が段積み状態になったときでも、流路形成部材に加わる荷重、衝撃等を緩和させることができる。
【００１３】
また、上記球供給流路は、上記上流側開放流路部と上記下流側閉塞流路部とにおいて、遊技機の左右方向に向けて遊技球を１列で流下させるよう構成してあり、上記上流側開放流路部の上流側端部には、上記球供給流路の一部として形成した屈曲流路部が遊技機の前方側から連通してあり、上記流路形成部材は、上記遊技機の左右方向に形成された上記上流側開放流路部と上記下流側閉塞流路部との底面部の全体を構成していることが好ましい（請求項３）。
【００１４】
この場合には、流路形成部材を、遊技機の左右方向に連続するように形成された上流側開放流路部と下流側閉塞流路部とにおける底面部の全体（全て）を構成するように形成する。併せて、上流側開放流路部及び下流側閉塞流路部（換言すれば流路形成部材）へと遊技球を供給流下させるために上流側開放流路部の上流側に別途設けられた屈曲流路部を、上流側開放流路部及び下流側閉塞流路部（換言すれば流路形成部材）が形成される左右方向とは異なる方向である前方（前後方向）から上流側開放流路部の上流側端部に連結する。
【００１５】
これにより、流路形成部材を、球供給流路（上流側開放流路部及び下流側閉塞流路部）の形成方向である左右方向に沿って上流側にスライド移動させる際に、この流路形成部材がスライド移動する方向（左右方向）の上流側には遊技球が流下する流路部が存在しないようにすることができ、流路形成部材に対して遊技球から加わる球圧を軽減することができる。
また、流路形成部材を、球抜き口を開口させるように左右方向にスライド移動させたときには、流路形成部材の上流側部分が屈曲流路部に向けては移動せず、屈曲流路部に対して影響を与えない領域に向けて移動するように形成することができる。そのため、屈曲流路部を流下する遊技球に対して不要な影響を与えることなく、遊技球の適切な流下状態を維持することができる。
【実施例】
【００１６】
以下に、本発明の遊技機の打球供給皿の構造にかかる実施例につき、図面を参照して説明する。
（実施例１）
本例の遊技機１の打球供給皿３の構造は、図１、図２に示すごとく、球発射装置２２（図５参照）へ遊技球Ｘを導く球供給流路４を形成すると共に、球供給流路４に、遊技球Ｘを球発射装置２２へ導かずに抜き出す球抜き口４３を形成してなる。球供給流路４は、上方を開放する上流側開放流路部４１と、上流側開放流路部４１の下流側において、天井部４２１を備えると共に球抜き口４３を形成してなる下流側閉塞流路部４２とを設けてなる。
打球供給皿３においては、上流側開放流路部４１と下流側閉塞流路部４２との一部（底面部）を連続して形成する流路形成部材６が、球抜き口４３の閉口及び開口を行うよう移動可能に配設してある。
【００１７】
以下に、本例の遊技機１の打球供給皿３の構造につき、図１〜図５を参照して詳説する。
図４、図５に示すごとく、本例の遊技機１はパチンコ遊技機であり、打球供給皿３は、本体枠２の前面側において、遊技盤２１による遊技領域の下方位置に配設されている。打球供給皿３には、遊技球Ｘを貯留する球貯留部４５が形成されており、球貯留部４５の下流側には球供給流路４が形成されている。
本体枠２には、遊技領域へ遊技球Ｘを発射させる球発射装置２２が配設してあり、打球供給皿３に形成した球供給流路４の下流側端部には、球発射装置２２へ１球ずつ遊技球Ｘを送り出す整流器２３が配設してある。球発射装置２２は、整流器２３に隣接して配設してある。なお、本例の遊技機１おいては、球発射装置２２は、本体枠２における左右方向Ｗの略中央位置に配設されている。
【００１８】
本例の打球供給皿３は、本体枠２の前面に配設する前面パネル３０と一体化してあり、本体枠２の前面に対して左右いずれかの辺に設けたヒンジ部を回動起点にして開閉可能に配設してある。前面パネル３０には、本体枠２に配設した球払出装置から払い出された遊技球Ｘを打球供給皿３の球貯留部４５へ排出する払出口４５１が形成されている。
本例の遊技機１は、球皿部として打球供給皿３のみを有する、いわゆる一皿タイプのパチンコ遊技機として構成されている。流路形成部材６をスライド移動させて球抜き口４３を開口した際には、遊技施設場等において、遊技機１の外部であり打球供給皿３の下方位置に通常設置される球受け箱等に向けて、球抜き口４３から抜き出した遊技球Ｘを排出するよう構成されている。
図１、図２に示すごとく、球抜き口４３から遊技球Ｘを抜き出す球抜き機構として配設される流路形成部材６、後述する操作部材６２、第１のリンク６３Ａ、第２のリンク６３Ｂ、コイルバネ６４は、いずれも打球供給皿３に配設してある。
【００１９】
整流器２３は、球供給流路４（下流側閉塞流路４２）の下流側端部の下流側位置に配設してあり、球抜き口４３は、下流側閉塞流路４２の下流側端部の底面であり、整流器２３の直上方位置に形成されている。
球抜き口４３は、図１に示すごとく、閉口状態Ａにおいて、球供給流路４（下流側閉塞流路部４２）の下流側端部の底面を若干開口させており（遊技球Ｘの半径よりも小さな寸法で開口させており）、図２に示すごとく、開口状態Ｂにおいて、遊技球Ｘを１球ずつ落下させる寸法（１球分以上２球分未満の寸法）を開口させるよう構成されている。
流路形成部材６は、上流側開放流路部４１及び下流側閉塞流路部４２の形成方向（遊技球Ｘが流下する流下方向）である左右方向Ｗに沿って上流側にスライド移動させることにより、球抜き口４３を開口するよう構成してある。
【００２０】
また、球抜き口４３の閉口状態Ａにおいては、流路形成部材６の下流側先端部は、下流側閉塞流路部４２の下流側端部の側壁等に直接当接させず、上述したように球抜き口４３を若干開口させるように隙間を設けて位置させている。これにより、コイルバネ６４の付勢力（弾性復元力）によって、下流側閉塞流路部４２の下流側端部の側壁等から、流路形成部材６の下流側先端部に無用な負荷が加わることを防止することができる。
【００２１】
図３に示すごとく、流路形成部材６は、その上面に金属板６１を設けてなると共に、上流側開放流路部４１と下流側閉塞流路部４２との底面部に連続して形成してある。流路形成部材６の上面に金属板６１を設けることにより、流路形成部材６の耐久性を向上させ、流路形成部材６をスライド移動させる際に、その上面に生ずる遊技球Ｘとの摩擦を低減することができる。
図５に示すごとく、球供給流路４は、上流側開放流路部４１と下流側閉塞流路部４２とにおいて、遊技機１の左右方向Ｗに向けて遊技球Ｘを１列で流下させるよう構成してある。また、図１、図２に示すごとく、球供給流路４は、上流側開放流路部４１において２段で流下する遊技球Ｘを、下流側閉塞流路部４２における天井部４２１によって整流して、１段で流下させるよう構成してある。
【００２２】
下流側閉塞流路部４２における天井部４２１は、２段積み状態で流下する遊技球Ｘを１段積み状態に整流させることができるように、下流側に向けて滑らかに下方へ傾斜して形成されている。図３に示すごとく、下流側閉塞流路部４２の下流側端部における側壁部には、球供給流路４を流下する遊技球Ｘの流れを整流器２３へ向けて案内する曲線状の案内リブ４２２が形成してある。この案内リブ４２２の側面は、遊技球Ｘを下方へ向けて流下させるように斜め下方を向くテーパ面状に形成してある。
【００２３】
図３、図５に示すごとく、打球供給皿３において、本例の球供給流路４は、屈曲流路部４４、上流側開放流路部４１及び下流側閉塞流路部４２として形成されている。そして、上流側開放流路部４１の上流側端部には、球供給流路４の一部として形成した屈曲流路部４４が遊技機１の前方側から連通してある。
図４、図５に示すごとく、本例の屈曲流路部４４は、上流側開放流路部４１、下流側閉塞流路部４２に対する前方位置に隣接して、この上流側開放流路部４１に対してＵターンするように略１８０°折り返して連通するよう形成されている。また、屈曲流路部４４の上面にも、耐久性の向上を目的として金属板が設けられている。
【００２４】
本例の打球供給皿３においては、球貯留部４５に対する左右方向Ｗの下流側に、屈曲流路部４４が前後方向Ｄの流路幅を縮小しながら形成してあり、屈曲流路部４４が前後方向Ｄに１列で遊技球Ｘを流下させる状態になった後、上流側開放流路部４１の上流側端部に連通されている。
ここで、屈曲流路部４４は、遊技機１の左右方向Ｗに向けて連続するように形成された上流側開放流路部４１及び下流側閉塞流路部４２に対して、遊技球Ｘの流下方向が同じ方向（同じ向き）ではなく異なる方向（異なる向き）に形成されており、上流側開放流路部４１の上流側端部に対して所定の角度を有して遊技機１の前方側から屈曲状に連通されている。
【００２５】
本例において、流路形成部材６を、上流側開放流路部４１及び下流側閉塞流路部４２の形成方向である左右方向Ｗに沿って上流側にスライド移動させる際に、この流路形成部材６がスライド移動する方向（左右方向Ｗ）の上流側には遊技球Ｘが流下する流路部が存在しないようにすることができ、流路形成部材６に対して遊技球Ｘから加わる球圧を軽減することができる。
また、流路形成部材６を、球抜き口４３を開口させるように左右方向Ｗにスライド移動させたときには、流路形成部材６の上流側部分が屈曲流路部４４に向けては移動せず、屈曲流路部４４に対して影響を与えない領域に向けて移動するように形成することができる。そのため、屈曲流路部４４を流下する遊技球Ｘに対して不要な影響を与えることなく、遊技球Ｘの適切な流下状態を維持することができる。
【００２６】
なお、屈曲流路部４４は、本例のような構造に限定されず、球貯留部４５から打球供給皿３の前方側に向けて湾曲状に形成した後、後方側に向けて流下形成し、略９０°の角度で上流側開放流路部４１の上流側端部に向けて屈曲状に連通させることもできる。また、屈曲状に連通させる際の連結角度は、本例に限定されず、６０°や１２０°等、０°を超えて１８０°未満の範囲で適宜設定することができる。
また、本例のような屈曲流路部４４を別途設けることにより、遊技球Ｘを一列に整流させる機能を打球供給皿３内に適切に形成することができ、これに併せて、打球供給皿３内の遊技球Ｘの貯留量を増加させる効果も得ることができる。
【００２７】
図３に示すごとく、本例の流路形成部材６は、遊技機１の左右方向Ｗに形成された上流側開放流路部４１と下流側閉塞流路部４２との底面部の全体を構成している。流路形成部材６の上面は、上流側開放流路部４１及び下流側閉塞流路部４２の下流側に向けて下降する傾斜形状に形成してある。球供給流路４における上流側開放流路部４１と屈曲流路部４４との間の角部の外側には、曲面状に屈曲する外側屈曲壁面４４１が形成されている。
流路形成部材６を上流側開放流路部４１及び下流側閉塞流路部４２の形成方向の上流側にスライドさせて球抜き口４３を開口するときには、当該流路形成部材６の上面の一部を外側屈曲壁面４４１の下方に潜り込ませ、当該流路形成部材６の上面と屈曲流路部４４の下流側端部の底壁面との間の段差４４２をより大きくするよう構成してある。
【００２８】
流路形成部材６は、上流側開放流路部４１及び下流側閉塞流路部４２の底面部に形成する以外にも、これらの側壁部に形成することもできる。
また、流路形成部材６は、スライド移動を行う以外にも、回動移動等その他の移動方法により移動可能にすることができる。
また、上流側開放流路部４１と下流側閉塞流路部４２の形成方向は、遊技機１における左右方向Ｗに限定されず、遊技機１の前後方向Ｄや斜め左右方向等、その他の方向に形成することもできる。また、これに付随して屈曲流路部４４を適宜形成することもできる。
【００２９】
本例の流路形成部材６は、図２に示すごとく、遊技者等の作業者によって押し操作される操作部材６２の下方向へのスライド移動を受けて、上流側開放流路部４１及び下流側閉塞流路部４２の形成方向の上流側へスライド移動して、球抜き口４３を開口するよう構成してある。また、流路形成部材６は、図１に示すごとく、コイルバネ６４による付勢力を受けて、球抜き口４３を閉口する状態に保持されている。
より具体的には、図１、図２に示すごとく、本例の流路形成部材６は、操作部材６２の下方への押込み操作を受けて、１つ又は複数（本例では２つ）のリンク６３Ａ、６３Ｂを回動させ、このリンク６３Ａ、６３Ｂの回動を受けて、上流側開放流路部４１及び下流側閉塞流路部４２の形成方向の上流側へスライド移動する。本例においては、操作部材６２の押込み操作を受けて第１のリンク６３Ａを回動させると共に、第１のリンク６３Ａの回動を受けて第２のリンク６３Ｂを回動させることにより、流路形成部材６のスライド移動のストロークを大きくしている。
【００３０】
本例の遊技機１の打球供給皿３の構造は、球供給流路４の一部（底面部）を形成する流路形成部材６に、球流路を形成する機能と、球抜き口４３を開閉するシャッターの機能とを持たせている。そして、球供給流路４の形成状態に対する流路形成部材６の形成範囲に工夫をし、球供給流路４に球詰まりが生じたときには、この球詰まりを容易に解消することができるものである。
本例における球供給流路４は、球供給流路４の天井部４２１を備えない部分として、上方を開放する上流側開放流路部４１と、天井部４２１を備える部分として、上流側開放流路部４１の下流側において球抜き口４３を形成してなる下流側閉塞流路部４２とを設けてなる。また、上流側開放流路部４１及び下流側閉塞流路部４２の底面部の全体を連続して形成する流路形成部材６を、球抜き口４３の閉口及び開口を行うよう上流側開放流路部４１及び下流側閉塞流路部４２の形成方向にスライド移動可能に配設してなる。
【００３１】
そして、球供給流路４の一部を形成する流路形成部材６を、球抜き口４３の閉口及び開口を行うためのシャッター部材として用いることにより、打球供給皿３内に別途シャッター部材を配設する必要がなく、球抜き口４３の周辺の省スペース化を図ることができる。
また、下流側閉塞流路部４２における天井部４２１の周辺は、遊技球Ｘの段積み状態が変化する部位であり、遊技球Ｘの球詰まりが発生するおそれのある部位である。これに対し、本例においては、流路形成部材６が上流側開放流路部４１及び下流側閉塞流路部４２の底面部の全体を連続して形成している。つまり、上流側開放流路部４１と下流側閉塞流路部４２との両流路部の底面部に連なるように流路形成部材６を形成している。そのため、天井部４２１の周辺に球詰まりが生じたときには、流路形成部材６をスライド移動させることにより、下流側閉塞流路部４２に存在する遊技球Ｘを上流側開放流路部４１における上方の開放空間を利用して位置ずれさせることができる。これにより、球詰まりが生じている部位の遊技球Ｘを直接的に移動させて、球詰まり状態を解消することができる。
【００３２】
それ故、本例の遊技機１の打球供給皿３の構造によれば、球抜き口４３の周辺の省スペース化を図ることができ、球詰まりが生じている部位の遊技球Ｘを直接的に移動させ、球詰まり状態を解消することができる。
なお、屈曲流路部４４はあえて設ける必要はなく、これを設けない場合には、上流側開放流路部４１の上流側に、複数列で流下する遊技球Ｘを１列状態に整流流下させるための整流機構を設けることができる。本例の遊技機１の打球供給皿３の構造は、パチンコ遊技機に採用する以外にも、アレンジボール式遊技機や遊技球を遊技媒体として使用するスロットマシン等のその他の遊技機に用いることもできる。
【００３３】
（実施例２）
本例は、打球供給皿３の下方に打球供給皿３に貯留できなくなった遊技球Ｘを貯留する補助受皿５を別途設け、この補助受皿５を上面視において打球供給皿３の形成領域と被らないように隣接して形成した場合についての球抜き構造を示す例である。
本例の遊技機１の球皿部は、図６に示すごとく、半ドーナツ状に形成された打球供給皿３の形成領域に対する内側の下方空間領域に、区画壁部３１によって打球供給皿３と仕切られる形で補助受皿５を形成してなる。本例の屈曲流路部４４は、打球供給皿３における区画壁部３１の右壁部の右側位置において前後方向Ｄに形成してあり、打球供給皿３における後方側の右側端部において左右方向Ｗに形成した上流側開放流路部４１の上流側端部に前方側から略９０°の角度で連通してある。
【００３４】
補助受皿５は、打球供給皿３における球抜き口４３から抜き出した遊技球Ｘを貯留するよう構成されている。また、補助受皿５の底面には、補助受皿５に貯留された遊技球Ｘを球受け箱等に排出するための球排出口、及びその開閉用シャッター機構が別途設けられている。打球供給皿３と補助受皿５とを一体的に配設した前面パネル３０には、打球供給皿３に開口する遊技球Ｘの払出口４５１と、補助受皿５に開口する遊技球Ｘの払出口５１とが形成されている。
【００３５】
本例の流路形成部材６は、球抜き口４３を開口状態Ｂにするために、上流側開放流路部４１の上流側へスライド移動させるときには、打球供給皿３の内部に形成された収納スペースに潜り込ませることができる。また、本例においては、補助受皿５に貯留する遊技球Ｘを、遊技者が手で上方へ掻き出すことにより、打球供給皿３へ移すことができる。
本例においても、その他の構成は上記実施例１と同様であり、上記実施例１と同様の作用効果を得ることができる。
【符号の説明】
【００３６】
１  遊技機
３  打球供給皿
４  球供給流路
４１  上流側開放流路部
４２  下流側閉塞流路部
４２１  天井部
４３  球抜き口
４４  屈曲流路部
６  流路形成部材
６１  金属板
Ａ  閉口状態
Ｂ  開口状態
Ｘ  遊技球
【図１】
0005390421.tif 000002
【図２】
0005390421.tif 000003
【図３】
0005390421.tif 000004
【図４】
0005390421.tif 000005
【図５】
0005390421.tif 000006
【図６】
0005390421.tif 000007